(57)【要約】【課題】各振動モードの振動を効率良く振動子に伝えることが可能であり、また、各振動ごとに分離して別々に制御も可能である超音波複合振動子を提供する。【解決手段】超音波複合振動子１０は、振動子本体１１と、圧電素子２０とからなる。振動子本体１１は、その共振周波数の１波長以上の長さを有する。また、少なくとも２つの節の位置を有する。圧電素子２０は、異なる振動モードをそれぞれ有する少なくとも２つの圧電素子、例えば縦振動用圧電素子２１及びねじり振動用圧電素子２２からなる。これらは、振動子本体１１の少なくとも２つの節の位置にそれぞれ配置される。【選択図】図１
2015104689.tif 000002
【特許請求の範囲】
【請求項１】
超音波複合振動を生成する超音波複合振動子であって、該超音波複合振動子は、
その共振周波数の１波長以上の長さを有し、少なくとも２つの節の位置を有する振動子と、
異なる振動モードをそれぞれ有する少なくとも２つの圧電素子であって、振動子の少なくとも２つの節の位置にそれぞれ配置される圧電素子と、
を具備することを特徴とする超音波複合振動子。
【請求項２】
請求項１に記載の超音波複合振動子において、前記振動子の節の位置に配置される各圧電素子が、同じ振動モードの複数の圧電素子が積層される圧電素子群からなることを特徴とする超音波複合振動子。
【請求項３】
請求項１又は請求項２に記載の超音波複合振動子において、前記少なくとも２つの圧電素子は、異なる駆動信号によりそれぞれ駆動されることを特徴とする超音波複合振動子。
【請求項４】
請求項１又は請求項２に記載の超音波複合振動子において、前記少なくとも２つの圧電素子は、共通の駆動信号によりそれぞれ駆動されることを特徴とする超音波複合振動子。
【請求項５】
請求項１乃至請求項４の何れかに記載の超音波複合振動子において、前記少なくとも２つの圧電素子の異なる振動モードは、縦振動及びねじり振動であることを特徴とする超音波複合振動子。
【発明の詳細な説明】
【技術分野】
【０００１】
本発明は超音波複合振動子に関し、特に、少なくとも２つの超音波複合振動を生成する超音波複合振動子に関する。
【背景技術】
【０００２】
近年、超音波振動子は、穴あけ加工や溶接・溶着等の用途にも用いられている。これらの用途では、振動軌跡が直線的な単一振動モードよりも２つ以上の振動を複合させた複合振動モードの方が加工対象の仕上がり等に優れるため、より好ましいものとして知られている。そこで、従来から複合振動を発生させる超音波複合振動子が種々開発されている。
【０００３】
超音波複合振動子の例としては、例えば特許文献１が挙げられる。特許文献１には、縦振動モードを有する圧電素子を縦振動の節の位置に配置すると共に単一周波数で駆動し、また、縦振動をねじり振動に変換する斜めスリットをねじり振動の節の位置に配置する超音波複合振動子が開示されている。
【０００４】
また、例えば特許文献２には、縦振動モードを有する圧電素子とねじり振動モードを有する圧電素子の２種類の圧電素子を重ねて振動の節に配置する超音波複合振動子が開示されている。
【先行技術文献】
【特許文献】
【０００５】
【特許文献１】特開２００５−２８８３５１号公報
【特許文献２】特開２００１−１７９１７９号公報
【発明の概要】
【発明が解決しようとする課題】
【０００６】
しかしながら、特許文献１に記載の装置では、斜めスリットにより縦振動をねじり振動に変換しているため、振動が弱いという問題があった。また、縦振動とねじり振動の得られる各振動の波長が同一とならず、各振動の節の位置が異なる。振動源自体は本来、節の位置で固定すべきものであるが、各振動で節の位置が異なっているため、振動源の固定が困難となっていた。さらに、圧電素子は単一周波数で駆動し、これを斜めスリットを用いてねじり振動に変換しているため、縦振動とねじり振動をそれぞれ分離して別々に制御できないという問題があった。
【０００７】
また、特許文献２では、各振動の節の位置は一致するが、２種類の圧電素子を重ねて振動の節に配置しようとしても、節の位置は１カ所であり、そこを中心に２種類の圧電素子をそれぞれずらして配置しなければならなかった。即ち、各圧電素子を各振動の節の位置に正確に配置できないため、振動効率が悪かった。特に、同じ振動モードの複数の圧電素子を積層した圧電素子群を用いて振動源の振動パワーを増強しようとした場合、圧電素子群のうち、振動の節の位置から遠い側の圧電素子は振動の節から大きくずれることとなり、効率が非常に悪くなってしまっていた。
【０００８】
本発明は、斯かる実情に鑑み、各振動モードの振動を効率良く振動子に伝えることが可能であり、また、各振動ごとに分離して別々に制御も可能である超音波複合振動子を提供しようとするものである。
【課題を解決するための手段】
【０００９】
上述した本発明の目的を達成するために、本発明による超音波複合振動子は、その共振周波数の１波長以上の長さを有し、少なくとも２つの節の位置を有する振動子と、異なる振動モードをそれぞれ有する少なくとも２つの圧電素子であって、振動子の少なくとも２つの節の位置にそれぞれ配置される圧電素子と、を具備するものである。
【００１０】
ここで、振動子の節の位置に配置される各圧電素子が、同じ振動モードの複数の圧電素子が積層される圧電素子群からなっても良い。
【００１１】
また、少なくとも２つの圧電素子は、異なる駆動信号によりそれぞれ駆動されても良い。
【００１２】
また、少なくとも２つの圧電素子は、共通の駆動信号によりそれぞれ駆動されても良い。
【００１３】
また、少なくとも２つの圧電素子の異なる振動モードは、縦振動及びねじり振動であれば良い。
【発明の効果】
【００１４】
本発明の超音波複合振動子には、各振動モードの振動を効率良く振動子に伝えることが可能であり、また、各振動ごとに分離して別々に制御も可能であるという利点がある。
【図面の簡単な説明】
【００１５】
【図１】図１は、本発明の超音波複合振動子の構成を説明するための概略側面図である。
【図２】図２は、本発明の超音波複合振動子の縦振動・ねじり振動分布図である。
【図３】図３は、本発明の超音波複合振動子において、圧電素子群を用いた場合の構成を説明するための概略側面図である。
【発明を実施するための形態】
【００１６】
以下、本発明を実施するための形態を図示例と共に説明する。図１は、本発明の超音波複合振動子の構成を説明するための概略側面図である。図示の通り、本発明の超音波複合振動子は、振動子１０と、圧電素子２０とから主に構成されている。そして、これが駆動部３０により駆動されるものである。
【００１７】
振動子１０は、振動子１０の共振周波数の１波長以上の長さを有するものである。振動子１０は、少なくとも２つの節の位置を有するように、その長さ及び共振周波数が設定されている。具体的には、振動子１０はボルト締めランジュバン型振動子からなるものである。振動子１０は、振動子本体１１と、工具ホーン１２とからなる。振動子１０の共振周波数の一例を挙げると、縦振動の共振周波数を３４ｋＨｚ、ねじり振動の共振周波数を２０ｋＨｚとして、伝播する各振動の１波長の長さとなるように設計すれば良い。振動子１０は、例えばジュラルミン製であり円筒形であれば良い。振動子１０の工具ホーン１２は、加工対象物に直接接触させるものであり、摩耗に強いことが好ましい。工具ホーン１２は交換可能に振動子本体１１にねじ込まれるものであれば良く、摩耗した際には交換することも可能である。また、加工効率を上げるように工具ホーン１２の先端部分を適宜加工することも可能である。さらに、加工対象物に施す加工の種類に応じて、工具ホーン１２をそれらに適したものに交換することも可能である。
【００１８】
圧電素子２０は、異なる振動モードをそれぞれ有する少なくとも２つの圧電素子２１，２２からなる。例えば、縦振動の振動モードを有する縦振動用圧電素子２１と、ねじり振動の振動モードを有するねじり振動用圧電素子２２からなるものである。また、本発明の超音波複合振動子はこれらの振動モードには限定されず、曲げ振動の振動モードを有する圧電素子等、種々の圧電素子を組み合わせることが可能である。そして、圧電素子２０は、振動子１０の２つの節の位置にそれぞれ配置されている。具体的には、図示例では、縦振動用圧電素子２１が左から１つ目の節の位置に配置され、ねじり振動用圧電素子２２が２つ目の節の位置に配置されている。
【００１９】
ここで、図１を用いて振動の節の位置について説明する。図１において、振動子１０上にグレー線で表した正弦波が振動子１０の振動分布である。図示の通り、本発明の超音波複合振動子では、振動子の２つの節の位置に各圧電素子２１，２２を配置しており、縦振動の波長とねじり振動の波長を一致させていることが分かる。
【００２０】
このように構成された超音波複合振動子が、駆動部３０により駆動されている。駆動部３０は、縦振動用圧電素子２１に共振周波数信号を印加すると共に、ねじり振動用圧電素子２２に共振周波数信号を印加するものである。駆動部３０は、例えば縦振動用のものとねじり振動用のものを２つ用意し、それぞれ各圧電素子に共振周波数信号を印加するように構成すれば良い。具体的には、縦振動の共振周波数を３４ｋＨｚ、ねじり振動の共振周波数を２０ｋＨｚとして振動子１０を設計した場合には、駆動部３０は、縦振動用圧電素子２１に３４ｋＨｚの共振周波数を印加すると共に、ねじり振動用圧電素子２２に２０ｋＨｚの共振周波数をそれぞれ印加すれば良い。このようにそれぞれ異なる駆動信号により駆動することで、得られる各振動を任意に制御できるようになる。したがって、例えば印加信号の電圧をそれぞれ調整することで、各振動の強さを任意に調整することも可能である。
【００２１】
また、２つの圧電素子を共通の駆動信号によりそれぞれ駆動しても良い。この場合、駆動部は、例えば縦振動用発振器と、ねじり振動用発振器と、これらを合成する加算器とから構成されれば良い。縦振動用発振器は、縦振動用の共振周波数信号を発生するものである。ねじり振動用発振器は、ねじり振動用の共振周波数を発生するものである。そして、加算器は、これらの各共振周波数信号を加算した上で、この駆動信号を各圧電素子に印加しても良い。
【００２２】
このように、本発明の超音波複合振動子は、駆動信号は様々な態様のものを利用でき、自由度が高いものである。
【００２３】
さて、このように構成された本発明の超音波複合振動子の具体的な特性を図２を用いて説明する。図２は、本発明の超音波複合振動子の縦振動・ねじり振動分布図である。測定条件としては、縦振動の共振周波数を３４ｋＨｚ、ねじり振動の共振周波数を２０ｋＨｚとして、伝播する各振動の１波長となる長さとして設計したものを用いた。具体的には、図１に示される振動子本体１１に、長さ７２．６ｍｍ、直径３０ｍｍの工具ホーン１２を接続したものを用いた。測定の為、工具ホーン１２の長さ方向の距離をｘ［ｍｍ］と定義した。また、縦振動用圧電素子２１及びねじり振動用圧電素子２２に対して、端子電流５０ｍＡとして工具ホーン１２の部分の各振動を求めた。図２（ａ）が駆動周波数を３３．８ｋＨｚとして両圧電素子２１，２２を駆動した場合の各振動分布図であり、図２（ｂ）が駆動周波数を２０．９ｋＨｚとして両圧電素子２１，２２を駆動した場合の各振動分布図である。
【００２４】
図２（ａ）から分かる通り、３３．８ｋＨｚで駆動させた場合には、縦振動が１／２波長、ねじり振動が３／４波長の分布となっている。また、縦振動の振幅は、工具ホーン全体を通してねじり振動振幅よりも大きく得られていることが分かる。このことから、駆動周波数３３．８ｋＨｚでは、設計通り縦振動が主として得られることが分かる。
【００２５】
また、図２（ｂ）から分かる通り、２０．９ｋＨｚで駆動させた場合には、ねじり振動が１／２波長の分布となっているが、縦振動は殆ど得られていないことが分かる。このことから、駆動周波数２０．９ｋＨｚでは、設計通りねじり振動が主として得られることが分かる。
【００２６】
また、３３．８ｋＨｚで駆動させた場合の縦振動分布の節の位置と、２０．９ｋＨｚで駆動させた場合のねじり振動の節の位置は、略一致するしていることも分かる。
【００２７】
このように、本発明の超音波複合振動子は、得られる各振動の節が一致することが分かる。したがって、振動子の固定も容易であり、また、一方の振動が概ね他方の振動に影響を及ぼさないことも分かる。
【００２８】
上述の図示例では、２つの節の位置を有する振動子に対して２つの圧電素子をそれぞれこの２つの節の位置に配置する例を説明したが、本発明はこれに限定されない。即ち、振動子を３つ以上の節を有するような長さに構成し、さらに多くの圧電素子を用いて、振動の各節にそれぞれこれらの圧電素子を配置しても良い。
【００２９】
また、圧電素子は、同じ振動モードの複数の圧電素子が積層される圧電素子群からなるものであっても良い。図３は、本発明の超音波複合振動子において、圧電素子群を用いた場合の構成を説明するための概略側面図である。図中、図１と同一の符号を付した部分は同一物を表している。また、同図では振動子及び圧電素子のみを示した。図示の通り、例えば縦振動用圧電素子２１が、複数の圧電素子２１を積層した縦振動用圧電素子群２４からなっても良い。また、同様にねじり振動用圧電素子２２が、複数の圧電素子２２を積層したねじり振動用圧電素子群２５からなっても良い。このような構成の場合、圧電素子群の中心が振動の節の位置となるように各振動モードの圧電素子群を配置できるため、従来技術のような非効率な状態と比べ、非常に振動効率が良くなる。
【００３０】
また、本発明の超音波複合振動子は、縦振動とねじり振動の振動の節の位置が一致するため、実際に振動源を固定する際には、節の位置での固定も容易である。例えば振動子を１．５波長分の長さに構成し、３つの節の位置を有するように構成する。これにより、１つの節を固定に、他の２つの節の位置を各圧電素子の配置に用いることが可能となる。
【００３１】
なお、本発明の超音波複合振動子は、上述の図示例にのみ限定されるものではなく、本発明の要旨を逸脱しない範囲内において種々変更を加え得ることは勿論である。
【符号の説明】
【００３２】
１０    振動子
１１    振動子本体
１２    工具ホーン
２０    圧電素子
２１    縦振動用圧電素子
２２    ねじり振動用圧電素子
２４    縦振動用圧電素子群
２５    ねじり振動用圧電素子群
３０    駆動部
【図１】
2015104689.tif 000003
【図２】
2015104689.tif 000004
【図３】
2015104689.tif 000005
【手続補正書】
【提出日】平成26年7月29日(2014.7.29)
【手続補正１】
【補正対象書類名】明細書
【補正対象項目名】全文
【補正方法】変更
【補正の内容】
【発明の詳細な説明】
【技術分野】
【０００１】
本発明は超音波複合振動子に関し、特に、少なくとも２つの超音波複合振動を生成する超音波複合振動子に関する。
【背景技術】
【０００２】
近年、超音波振動子は、穴あけ加工や溶接・溶着等の用途にも用いられている。これらの用途では、振動軌跡が直線的な単一振動モードよりも２つ以上の振動を複合させた複合振動モードの方が加工対象の仕上がり等に優れるため、より好ましいものとして知られている。そこで、従来から複合振動を発生させる超音波複合振動子が種々開発されている。
【０００３】
超音波複合振動子の例としては、例えば特許文献１が挙げられる。特許文献１には、縦振動モードを有する圧電素子を縦振動の節の位置に配置すると共に単一周波数で駆動し、また、縦振動をねじり振動に変換する斜めスリットをねじり振動の節の位置に配置する超音波複合振動子が開示されている。
【０００４】
また、例えば特許文献２には、縦振動モードを有する圧電素子とねじり振動モードを有する圧電素子の２種類の圧電素子を重ねて振動の節に配置する超音波複合振動子が開示されている。
【先行技術文献】
【特許文献】
【０００５】
【特許文献１】特開２００５−２８８３５１号公報
【特許文献２】特開２００１−１７９１７９号公報
【発明の概要】
【発明が解決しようとする課題】
【０００６】
しかしながら、特許文献１に記載の装置では、斜めスリットにより縦振動をねじり振動に変換しているため、振動が弱いという問題があった。また、縦振動とねじり振動の得られる各振動の波長が同一とならず、各振動の節の位置が異なる。振動源自体は本来、節の位置で固定すべきものであるが、各振動で節の位置が異なっているため、振動源の固定が困難となっていた。さらに、圧電素子は単一周波数で駆動し、これを斜めスリットを用いてねじり振動に変換しているため、縦振動とねじり振動をそれぞれ分離して別々に制御できないという問題があった。
【０００７】
また、特許文献２では、各振動の節の位置は一致するが、２種類の圧電素子を重ねて振動の節に配置しようとしても、節の位置は１カ所であり、そこを中心に２種類の圧電素子をそれぞれずらして配置しなければならなかった。即ち、各圧電素子を各振動の節の位置に正確に配置できないため、振動効率が悪かった。特に、同じ振動モードの複数の圧電素子を積層した圧電素子群を用いて振動源の振動パワーを増強しようとした場合、圧電素子群のうち、振動の節の位置から遠い側の圧電素子は振動の節から大きくずれることとなり、効率が非常に悪くなってしまっていた。
【０００８】
本発明は、斯かる実情に鑑み、各振動モードの振動を効率良く振動子に伝えることが可能であり、また、各振動ごとに分離して別々に制御も可能である超音波複合振動子を提供しようとするものである。
【課題を解決するための手段】
【０００９】
上述した本発明の目的を達成するために、本発明による超音波複合振動子は、その共振周波数の１波長以上の長さを有し、少なくとも２つの節の位置を有する振動子本体と、異なる振動モードをそれぞれ有する少なくとも２つの圧電素子であって、振動子本体の少なくとも２つの節の位置にそれぞれ配置される圧電素子と、を具備するものである。
【００１０】
ここで、振動子本体の節の位置に配置される各圧電素子が、同じ振動モードの複数の圧電素子が積層される圧電素子群からなっても良い。
【００１１】
また、少なくとも２つの圧電素子は、異なる駆動信号によりそれぞれ駆動されても良い。
【００１２】
また、少なくとも２つの圧電素子は、共通の駆動信号によりそれぞれ駆動されても良い。
【００１３】
また、少なくとも２つの圧電素子の異なる振動モードは、縦振動及びねじり振動であれば良い。
【発明の効果】
【００１４】
本発明の超音波複合振動子には、各振動モードの振動を効率良く振動子に伝えることが可能であり、また、各振動ごとに分離して別々に制御も可能であるという利点がある。
【図面の簡単な説明】
【００１５】
【図１】図１は、本発明の超音波複合振動子の構成を説明するための概略側面図である。
【図２】図２は、本発明の超音波複合振動子の縦振動・ねじり振動分布図である。
【図３】図３は、本発明の超音波複合振動子において、圧電素子群を用いた場合の構成を説明するための概略側面図である。
【発明を実施するための形態】
【００１６】
以下、本発明を実施するための形態を図示例と共に説明する。図１は、本発明の超音波複合振動子の構成を説明するための概略側面図である。図示の通り、本発明の超音波複合振動子１０は、振動子本体１１と、圧電素子２０とから主に構成されている。そして、これが駆動部３０により駆動されるものである。
【００１７】
振動子本体１１は、共振周波数の１波長以上の長さを有し、少なくとも２つの節の位置を有するように、その長さ及び共振周波数が設定されている。具体的には、超音波複合振動子１０は、振動子本体１１の２つの節の位置に圧電素子２０を組み込んだボルト締めランジュバン型振動子である。超音波複合振動子１０には、工具ホーン１２が接続されている。振動子本体１１の共振周波数の一例を挙げると、縦振動の共振周波数を３３．８ｋＨｚ、ねじり振動の共振周波数を２０．９ｋＨｚとして、伝播する各振動の１波長の長さとなるように設計すれば良い。振動子本体１１は、例えばジュラルミン製であり円筒形であれば良い。工具ホーン１２は、加工対象物に直接接触させるものであり、摩耗に強いことが好ましい。工具ホーン１２は交換可能に振動子本体１１にねじ込まれるものであれば良く、摩耗した際には交換することも可能である。また、加工効率を上げるように工具ホーン１２の先端部分を適宜加工することも可能である。さらに、加工対象物に施す加工の種類に応じて、工具ホーン１２をそれらに適したものに交換することも可能である。
【００１８】
圧電素子２０は、異なる振動モードをそれぞれ有する少なくとも２つの圧電素子２１，２２からなる。例えば、縦振動の振動モードを有する縦振動用圧電素子２１と、ねじり振動の振動モードを有するねじり振動用圧電素子２２からなるものである。また、本発明の超音波複合振動子はこれらの振動モードには限定されず、曲げ振動の振動モードを有する圧電素子等、種々の圧電素子を組み合わせることが可能である。そして、圧電素子２０は、振動子本体１１の２つの節の位置にそれぞれ配置されている。具体的には、図示例では、縦振動用圧電素子２１が左から１つ目の節の位置に配置され、ねじり振動用圧電素子２２が２つ目の節の位置に配置されている。
【００１９】
ここで、図１を用いて振動の節の位置について説明する。図１において、振動子本体１１上にグレー線で表した正弦波が振動子本体１１の振動分布である。図示の通り、本発明の超音波複合振動子１０では、振動子本体１１の２つの節の位置に各圧電素子２１，２２を配置しており、縦振動の波長とねじり振動の波長を一致させていることが分かる。
【００２０】
このように構成された超音波複合振動子１０が、駆動部３０により駆動されている。駆動部３０は、縦振動用圧電素子２１に縦振動モードの共振周波数信号を印加すると共に、ねじり振動用圧電素子２２にねじり振動モードの共振周波数信号を印加するものである。駆動部３０は、例えば縦振動用のものとねじり振動用のものを２つ用意し、それぞれ各圧電素子に共振周波数信号を印加するように構成すれば良い。具体的には、縦振動の共振周波数を３３．８ｋＨｚ、ねじり振動の共振周波数を２０．９ｋＨｚとして振動子本体１１を設計した場合には、駆動部３０は、縦振動用圧電素子２１に３３．８ｋＨｚの共振周波数を印加すると共に、ねじり振動用圧電素子２２に２０．９ｋＨｚの共振周波数をそれぞれ印加すれば良い。このようにそれぞれ異なる駆動信号により駆動することで、得られる各振動を任意に制御できるようになる。したがって、例えば印加信号の電圧をそれぞれ調整することで、各振動の強さを任意に調整することも可能である。
【００２１】
また、２つの圧電素子を共通の駆動信号によりそれぞれ駆動しても良い。この場合、駆動部は、例えば縦振動用発振器と、ねじり振動用発振器と、これらを合成する加算器とから構成されれば良い。縦振動用発振器は、縦振動用の共振周波数信号を発生するものである。ねじり振動用発振器は、ねじり振動用の共振周波数を発生するものである。そして、加算器は、これらの各共振周波数信号を加算した上で、この駆動信号を各圧電素子に印加しても良い。
【００２２】
このように、本発明の超音波複合振動子は、駆動信号は様々な態様のものを利用でき、自由度が高いものである。
【００２３】
さて、このように構成された本発明の超音波複合振動子の具体的な特性を図２を用いて説明する。図２は、本発明の超音波複合振動子の縦振動・ねじり振動分布図である。測定条件としては、縦振動の共振周波数を３３．８ｋＨｚ、ねじり振動の共振周波数を２０．９ｋＨｚとして、伝播する各振動の１波長となる長さとして設計したものを用いた。具体的には、図１に示される振動子本体１１に、長さ７２．６ｍｍ、直径３０ｍｍの工具ホーン１２を接続したものを用いた。測定の為、工具ホーン１２の長さ方向の距離をｘ［ｍｍ］と定義した。また、縦振動用圧電素子２１及びねじり振動用圧電素子２２に対して、端子電流５０ｍＡとして工具ホーン１２の部分の各振動を求めた。図２（ａ）が駆動周波数を３３．８ｋＨｚとして両圧電素子２１，２２を駆動した場合の各振動分布図であり、図２（ｂ）が駆動周波数を２０．９ｋＨｚとして両圧電素子２１，２２を駆動した場合の各振動分布図である。
【００２４】
図２（ａ）から分かる通り、３３．８ｋＨｚで駆動させた場合には、縦振動が１／２波長、ねじり振動が３／４波長の分布となっている。また、縦振動の振幅は、工具ホーン全体を通してねじり振動振幅よりも大きく得られていることが分かる。このことから、駆動周波数３３．８ｋＨｚでは、設計通り縦振動が主として得られることが分かる。
【００２５】
また、図２（ｂ）から分かる通り、２０．９ｋＨｚで駆動させた場合には、ねじり振動が１／２波長の分布となっているが、縦振動は殆ど得られていないことが分かる。このことから、駆動周波数２０．９ｋＨｚでは、設計通りねじり振動が主として得られることが分かる。
【００２６】
また、３３．８ｋＨｚで駆動させた場合の縦振動分布の節の位置と、２０．９ｋＨｚで駆動させた場合のねじり振動の節の位置は、略一致するしていることも分かる。
【００２７】
このように、本発明の超音波複合振動子は、得られる各振動の節が一致することが分かる。したがって、振動子の固定も容易であり、また、一方の振動が概ね他方の振動に影響を及ぼさないことも分かる。
【００２８】
上述の図示例では、２つの節の位置を有する振動子本体に対して２つの圧電素子をそれぞれこの２つの節の位置に配置する例を説明したが、本発明はこれに限定されない。即ち、振動子本体を３つ以上の節を有するような長さに構成し、さらに多くの圧電素子を用いて、振動の各節にそれぞれこれらの圧電素子を配置しても良い。
【００２９】
また、圧電素子は、同じ振動モードの複数の圧電素子が積層される圧電素子群からなるものであっても良い。図３は、本発明の超音波複合振動子において、圧電素子群を用いた場合の構成を説明するための概略側面図である。図中、図１と同一の符号を付した部分は同一物を表している。また、同図では振動子本体及び圧電素子のみを示した。図示の通り、例えば縦振動用圧電素子２１が、複数の圧電素子２１を積層した縦振動用圧電素子群２４からなっても良い。また、同様にねじり振動用圧電素子２２が、複数の圧電素子２２を積層したねじり振動用圧電素子群２５からなっても良い。このような構成の場合、圧電素子群の中心が振動の節の位置となるように各振動モードの圧電素子群を配置できるため、従来技術のような非効率な状態と比べ、非常に振動効率が良くなる。
【００３０】
また、本発明の超音波複合振動子は、縦振動とねじり振動の振動の節の位置が一致するため、実際に振動源を固定する際には、節の位置での固定も容易である。例えば振動子本体を１．５波長分の長さに構成し、３つの節の位置を有するように構成する。これにより、１つの節を固定に、他の２つの節の位置を各圧電素子の配置に用いることが可能となる。
【００３１】
なお、本発明の超音波複合振動子は、上述の図示例にのみ限定されるものではなく、本発明の要旨を逸脱しない範囲内において種々変更を加え得ることは勿論である。
【符号の説明】
【００３２】
１０    超音波複合振動子
１１    振動子本体
１２    工具ホーン
２０    圧電素子
２１    縦振動用圧電素子
２２    ねじり振動用圧電素子
２４    縦振動用圧電素子群
２５    ねじり振動用圧電素子群
３０    駆動部
【手続補正２】
【補正対象書類名】特許請求の範囲
【補正対象項目名】全文
【補正方法】変更
【補正の内容】
【特許請求の範囲】
【請求項１】
超音波複合振動を生成する超音波複合振動子であって、該超音波複合振動子は、
その共振周波数の１波長以上の長さを有し、少なくとも２つの節の位置を有する振動子本体と、
異なる振動モードをそれぞれ有する少なくとも２つの圧電素子であって、振動子本体の少なくとも２つの節の位置にそれぞれ配置される圧電素子と、
を具備することを特徴とする超音波複合振動子。
【請求項２】
請求項１に記載の超音波複合振動子において、前記振動子本体の節の位置に配置される各圧電素子が、同じ振動モードの複数の圧電素子が積層される圧電素子群からなることを特徴とする超音波複合振動子。
【請求項３】
請求項１又は請求項２に記載の超音波複合振動子において、前記少なくとも２つの圧電素子は、異なる駆動信号によりそれぞれ駆動されることを特徴とする超音波複合振動子。
【請求項４】
請求項１又は請求項２に記載の超音波複合振動子において、前記少なくとも２つの圧電素子は、共通の駆動信号によりそれぞれ駆動されることを特徴とする超音波複合振動子。
【請求項５】
請求項１乃至請求項４の何れかに記載の超音波複合振動子において、前記少なくとも２つの圧電素子の異なる振動モードは、縦振動及びねじり振動であることを特徴とする超音波複合振動子。
【手続補正４】
【補正対象書類名】図面
【補正対象項目名】図１
【補正方法】変更
【補正の内容】
【図１】
2015104689.tif 000006